(57)【特許請求の範囲】
【請求項１】
電子機器であって、
電池の充電を行う充電制御手段と、
前記電池が正規の電池であるか否かを判定するための認証処理を行う認証手段と、
前記電池の電圧を検出する電圧検出手段と、
前記認証処理により前記電池が正規の電池でないと判定された場合に、前記電子機器のシャットダウンが要求された場合であって、前記電池の電圧が所定値以下である場合には、前記電池の充電ができないことを通知する通知手段と
を有することを特徴とする電子機器。
【請求項２】
電子機器であって、
電池の充電を行う充電制御手段と、
前記電池が正規の電池であるか否かを判定するための認証処理を行う認証手段と、
前記電子機器に外部装置が接続されているか否かを検出する外部装置検出手段と、
前記電子機器のシャットダウンが要求された場合であって、前記外部装置が前記電子機器に電力を供給することができない装置である場合に、前記認証処理により前記電池が正規の電池でないと判定された場合には、前記電池の充電ができないことを通知する通知手段と
を有することを特徴とする電子機器。
【請求項３】
電子機器であって、
電池の充電を行う充電制御手段と、
前記電池が正規の電池であるか否かを判定するための認証処理を行う認証手段と、
前記電池の充電ができないことが通知されてから所定時間が経過しているか否かを判定する判定手段と、
前記認証処理により前記電池が正規の電池でないと判定された場合に、前記電子機器のシャットダウンが要求された場合であって、前記電池の充電ができないことが通知されてから前記所定時間が経過している場合には、前記電池の充電ができないことを通知する通知手段と
を有することを特徴とする電子機器。
【請求項４】
前記通知手段は、前記電池の充電ができないことを示す情報を表示する表示手段を用いて、前記電池の充電ができないことを通知することを特徴とする請求項１から３のいずれか１項に記載の電子機器。
【請求項５】
前記電子機器のシャットダウンは、電源ボタンに対する操作、前記電池の残量、ユーザの指示が入力されない時間のいずれかに基づいて要求されることを特徴とする請求項１から４のいずれか１項に記載の電子機器。
【請求項６】
電池の充電を行う充電制御手段を有する電子機器の制御方法であって、
前記電池が正規の電池であるか否かを判定するための認証処理を行うステップと、
前記電池の電圧を検出するステップと、
前記認証処理により前記電池が正規の電池でないと判定された場合に、前記電子機器のシャットダウンが要求された場合であって、前記電池の電圧が所定値以下である場合には、前記電池の充電ができないことを通知するステップと
を有することを特徴とする制御方法。
【請求項７】
電池の充電を行う充電制御手段を有する電子機器の制御方法であって、
前記電池が正規の電池であるか否かを判定するための認証処理を行うステップと、
前記電子機器に外部装置が接続されているか否かを検出するステップと、
前記電子機器のシャットダウンが要求された場合であって、前記外部装置が前記電子機器に電力を供給することができない装置である場合に、前記認証処理により前記電池が正規の電池でないと判定された場合には、前記電池の充電ができないことを通知するステップと
を有することを特徴とする制御方法。
【請求項８】
電池の充電を行う充電制御手段を有する電子機器の制御方法であって、
前記電池が正規の電池であるか否かを判定するための認証処理を行うステップと、
前記電池の充電ができないことが通知されてから所定時間が経過しているか否かを判定するステップと、
前記認証処理により前記電池が正規の電池でないと判定された場合に、前記電子機器のシャットダウンが要求された場合であって、前記電池の充電ができないことが通知されてから前記所定時間が経過している場合には、前記電池の充電ができないことを通知するステップと
を有することを特徴とする制御方法。
【請求項９】
電池の充電を行う充電制御手段を有する電子機器のコンピュータに、
前記電池が正規の電池であるか否かを判定するための認証処理を行うステップと、
前記電池の電圧を検出するステップと、
前記認証処理により前記電池が正規の電池でないと判定された場合に、前記電子機器のシャットダウンが要求された場合であって、前記電池の電圧が所定値以下である場合には、前記電池の充電ができないことを通知するステップと
を実行させるためのプログラム。
【請求項１０】
電池の充電を行う充電制御手段を有する電子機器のコンピュータに、
前記電池が正規の電池であるか否かを判定するための認証処理を行うステップと、
前記電子機器に外部装置が接続されているか否かを検出するステップと、
前記電子機器のシャットダウンが要求された場合であって、前記外部装置が前記電子機器に電力を供給することができない装置である場合に、前記認証処理により前記電池が正規の電池でないと判定された場合には、前記電池の充電ができないことを通知するステップと
を実行させるためのプログラム。
【請求項１１】
電池の充電を行う充電制御手段を有する電子機器のコンピュータに、
前記電池が正規の電池であるか否かを判定するための認証処理を行うステップと、
前記電池の充電ができないことが通知されてから所定時間が経過しているか否かを判定するステップと、
前記認証処理により前記電池が正規の電池でないと判定された場合に、前記電子機器のシャットダウンが要求された場合であって、前記電池の充電ができないことが通知されてから前記所定時間が経過している場合には、前記電池の充電ができないことを通知するステップと
を実行させるためのプログラム。
【発明の詳細な説明】
【技術分野】
【０００１】
本発明は、電池の充電を行うことができる電子機器、制御方法およびプログラムに関する。
【背景技術】
【０００２】
電子機器に接続された電池の充電は、電子機器を充電装置に接続することによって行うことができる。ところが、非正規の電池を電子機器に接続して充電動作を行った場合には、電池の充電が安全性が低下する可能性がある。
【０００３】
このような問題を防ぐために、正規の電池と非正規の電池とを区別し、電子機器に非正規の電池が接続された場合に充電動作を停止させる技術が提案されている。特許文献１には、電池が接続された電子機器が充電装置に接続された場合に、電池が有するＩＤ情報に基づいて電池の認証処理を行うことが開示されている。
【０００４】
特許文献２には、電子機器に接続された電池が非正規の電池である場合に、電池が非正規の電池であると認識しているか否かをユーザに問い合わせることが開示されている。
【先行技術文献】
【特許文献】
【０００５】
【特許文献１】特開２００５−３４１７７５号公報
【特許文献２】特開２００７−２８２４７１号公報
【発明の概要】
【発明が解決しようとする課題】
【０００６】
しかしながら、特許文献１では、電子機器に接続された電池の残量がない場合は、認証処理を行う電力と充電の失敗を通知する電力とを電池から電子機器に供給できないことがある。この場合、電池の充電ができないことをユーザに知らせることができない。特許文献２では、電子機器に接続された電池が非正規の電池である場合に電池の充電ができないことをユーザに通知する。しかし、電池の充電ができないことがユーザに通知されてからユーザが電池の充電の開始を指示するまでの期間が長いと、ユーザは電池の充電が可能であると勘違いしてしまう可能性がある。
【０００７】
そこで、本発明は、非正規の電池が電子機器に接続されている場合に電池の充電ができないことをユーザに効果的に通知できるようにすることを目的とする。
【課題を解決するための手段】
【０００８】
本発明に係る電子機器の一つは、電子機器であって、電池の充電を行う充電制御手段と、前記電池が正規の電池であるか否かを判定するための認証処理を行う認証手段と、前記電池の電圧を検出する電圧検出手段と、前記認証処理により前記電池が正規の電池でないと判定された場合に、前記電子機器のシャットダウンが要求された場合であって、前記電池の電圧が所定値以下である場合には、前記電池の充電ができないことを通知する通知手段とを有する。
本発明に係る電子機器の一つは、電子機器であって、電池の充電を行う充電制御手段と、前記電池が正規の電池であるか否かを判定するための認証処理を行う認証手段と、前記電子機器に外部装置が接続されているか否かを検出する外部装置検出手段と、前記電子機器のシャットダウンが要求された場合であって、前記外部装置が前記電子機器に電力を供給することができない装置である場合に、前記認証処理により前記電池が正規の電池でないと判定された場合には、前記電池の充電ができないことを通知する通知手段とを有する。
本発明に係る電子機器の一つは、電子機器であって、電池の充電を行う充電制御手段と、前記電池が正規の電池であるか否かを判定するための認証処理を行う認証手段と、前記電池の充電ができないことが通知されてから所定時間が経過しているか否かを判定する判定手段と、前記認証処理により前記電池が正規の電池でないと判定された場合に、前記電子機器のシャットダウンが要求された場合であって、前記電池の充電ができないことが通知されてから前記所定時間が経過している場合には、前記電池の充電ができないことを通知する通知手段とを有する。
【発明の効果】
【０００９】
本発明によれば、非正規の電池が電子機器に接続されている場合に電池の充電ができないことをユーザに効果的に通知することができる。
【図面の簡単な説明】
【００１０】
【図１】実施形態１〜３における電子機器１００が有する複数の構成要素の一例を示すブロック図である。
【図２】実施形態１において、電子機器１００に接続されている電池１０２の充電ができないことをユーザに通知するまでの処理手順の一例を示すフローチャートである。
【図３】実施形態２において、電子機器１００に接続されている電池１０２の充電ができないことをユーザに通知するまでの処理手順の一例を示すフローチャートである。
【図４】電池１０２の充電ができないことをユーザに通知するための通知情報の一例を説明するための図である。
【図５】実施形態３において、電子機器１００に接続されている電池１０２の充電ができないことをユーザに通知するまでの処理手順の一例を示すフローチャートである。
【発明を実施するための形態】
【００１１】
以下、図面を参照して本発明の実施形態を説明する。ただし、本発明は以下の実施形態に限定されるものではない。
【００１２】
［実施形態１］
図１は、実施形態１〜３における電子機器１００が有する複数の構成要素の一例を示すブロック図である。電子機器１００は、例えば、デジタルカメラとして動作することができる撮像装置である。但し、電子機器１００は、撮像装置に限定されるものではなく、携帯電話として動作する携帯機器であってもよい。
【００１３】
図１において、システム制御部１０１は、電子機器１００が有する各構成要素を制御することができる。さらに、システム制御部１０１は、認証部１１０と表示判定部１１２とを有している。
【００１４】
電池１０２は、電子機器１００から取り外し可能な電池であり、充電可能な電池である。電池１０２が電子機器１００に接続されている場合、電池１０２は、電子機器１００が動作するために必要な電力を電源制御部１０３に供給することができる。電池１０２は、システム制御部１０１と通信可能であり、電池１０２に関する情報（電池１０２のＩＤ情報、電池１０２のタイプに関する情報を含む）と電池１０２の充電状態に関する情報とをシステム制御部１０１に送信することができる。
【００１５】
電圧検出部１０４は、電池１０２に接続されており、電池１０２の電圧値を検出してシステム制御部１０１に通知する。通知された電圧値が所定の電圧値以下の場合、システム制御部１０１は、電池１０２の残量が不足していると判定し、電池１０２から電子機器１００への電力供給を停止することを電源制御部１０３に指示する。
【００１６】
電源ボタン１０５は、ユーザにより押下されると、電源制御部１０３により電子機器１００へ電力供給の制御が行われる。電子機器１００に電力が供給されている場合に、ユーザにより電源ボタン１０５が押下されると、電源制御部１０３により電子機器１００へ電力の供給を停止する制御が行われ、システム制御部１０１により電子機器１００をシャットダウンするための処理が行われる。一方、電子機器１００に電力が供給されていない場合に、ユーザにより電源ボタン１０５が押下されると、電源制御部１０３により電子機器１００へ電力の供給を開始する制御が行われ、システム制御部１０１によりシステムの起動処理が行われる。
【００１７】
電力供給装置１０６は、電子機器１００が有するＵＳＢコネクタ１０７に接続することができる装置である。電力供給装置１０６と電子機器１００とは、ＵＳＢケーブルを介して接続される。電力供給装置１０６は、ＵＳＢケーブルを介して電子機器１００に電力を供給することができる。電力供給装置１０６がＵＳＢコネクタ１０７に接続されている場合、電子機器１００は、ＵＳＢ充電が可能になり、ＵＳＢ充電によって電池１０２を充電することができる。ＵＳＢケーブル及びＵＳＢコネクタ１０７は、ＵＳＢ規格に準拠する。
【００１８】
充電制御部１０８は、ＵＳＢ充電を制御するための機能を有する。この機能により、充電制御部１０８は、電力供給装置１０６からＵＳＢケーブルを介して供給された電力を用いて、電池１０２を充電することができる。充電制御部１０８はさらに、外部装置検出部１０９を有する。電力供給装置１０６がＵＳＢコネクタ１０７を介して充電制御部１０８に接続された場合、外部装置検出部１０９は、ＵＳＢコネクタ１０７に接続された外部装置を検出する。そして、外部装置検出部１０９は、検出した外部装置が電力供給装置１０６であると判定すると、充電制御部１０８は、電池１０２の充電を開始する。一方、外部装置検出部１０９は、外部装置が電力供給装置１０６ではないと判定すると、充電制御部１０８は、電池１０２の充電は行わず、外部装置が電力供給装置１０６ではないことをシステム制御部１０１に通知する。
【００１９】
システム制御部１０１は、電子機器１００に接続されている電池１０２が正規の電池であるか否かを認証部１１０で認証処理を行い、認証結果を認証履歴情報記憶部１１１に格納する。なお、認証履歴情報記憶部１１１に格納されている認証結果が非正規の電池である場合、充電制御部１０８は電池１０２の充電を停止する。
【００２０】
表示判定部１１２は、外部装置に関する情報と、電池１０２の電圧値を示す情報と、電池１０２の認証結果と、前回の通知情報の表示日時を示す表示時間情報とに基づいて、電池１０２の充電ができないことをユーザに通知すべきか否かを判定する。システム制御部１０１は、電子機器１００に接続されている電池１０２の充電ができず、表示判定部１１２が電池１０２の充電ができないことをユーザに通知すべきであると判定した場合、電池１０２の充電ができないことを示す通知情報を表示部１１３に表示する。そして、電池１０２の充電ができないことを示す通知情報を表示部１１３に表示した日時を示す時間情報を表示時間記憶部１１４に格納する。
【００２１】
図２は、実施形態１において、電子機器１００に接続されている電池１０２の充電ができないことをユーザに通知するまでの処理手順の一例を示すフローチャートである。
【００２２】
電子機器１００に電池１０２が接続され、電源ボタン１０５の押下によって電源制御部１０３から電子機器１００に電力が供給されると、Ｓ２００においてシステム制御部１０１がシステムの起動処理を行って電子機器１００を起動させて処理を開始する。
【００２３】
システム起動後、Ｓ２０１において、認証部１１０は、電池１０２が正規の電池であるか否かの認証処理を行う。そして、Ｓ２０２において、認証部１１０は、認証結果を認証履歴情報記憶部１１１に格納する。次に、Ｓ２０３において、電源制御部１０３は、ユーザにより電源ボタン１０５が押下され、電子機器１００のシャットダウン要求（電源オフの指示）を入力するまで待機する。
【００２４】
シャットダウン要求が入力される（Ｓ２０３／Ｙｅｓ）と、Ｓ２０４において、システム制御部１０１は、Ｓ２０２で認証履歴情報記憶部１１１に格納された認証結果が正規の電池か非正規の電池かを判定する。認証結果が非正規の電池である場合（Ｓ２０４／Ｙｅｓ）は、Ｓ２０５において、電圧検出部１０４は、電池１０２の電圧値を取得する。そして、Ｓ２０６において、システム制御部１０１は、Ｓ２０５で取得した電池１０２の電圧値が所定値以下であるか否かを判定する。そして、電池１０２の電圧値が所定値以下である場合（Ｓ２０６／Ｙｅｓ）は、Ｓ２０７において、表示判定部１１２は、電池１０２の充電ができないことをユーザに通知すべきであると判定し、システム制御部１０１は、電池１０２の充電ができないことを示す通知情報を表示部１１３に表示する。その後、システム制御部１０１は、電子機器１００をシャットダウンするための処理を行い、電源制御部１０３は、電池１０２から電子機器１００への電力供給を停止するための制御を行う。
【００２５】
一方、認証履歴情報記憶部１１１に格納された認証結果が正規の電池であった場合（Ｓ２０４／Ｎｏ）、システム制御部１０１は、電子機器１００をシャットダウンするための処理を行い、電源制御部１０３は、電池１０２から電子機器１００への電力供給を停止するための制御を行う。Ｓ２０５で取得した電圧値が所定値を上回っていた場合（Ｓ２０６／Ｎｏ）も、システム制御部１０１は、電子機器１００をシャットダウンするための処理を行い、電源制御部１０３は、電池１０２から電子機器１００への電力供給を停止するための制御を行う。
【００２６】
以上のように、実施形態１によれば、電池１０２の充電を行う前に、シャットダウンの段階でユーザに電池１０２の充電ができないことを知らせることができる。これにより、ユーザが電池１０２の充電が可能であると勘違いしてしまう可能性を減らすことができる。さらに、シャットダウン時に電池１０２の充電ができないことを示す通知情報を毎回表示すると煩わしいので、実施形態１では電池１０２の電圧値が所定値以下である場合に電池１０２の充電ができないことを示す通知情報を表示するようにしている。このように、そろそろ充電が必要となる時期に、電池１０２の充電ができないことを事前に通知することにより、ユーザが電池１０２の充電が可能であると勘違いしてしまう可能性を減らすようにする。
【００２７】
［実施形態２］
実施形態２においては、電子機器１００に接続されている電池１０２の充電ができない旨を表示するか否かを、ＵＳＢコネクタ１０７を介して接続されている相手によって判定し、ユーザに通知する例について説明する。なお、実施形態２における電子機器１００が有する複数の構成要素は、実施形態１における電子機器１００が有する複数の構成要素と同様であるため、それらの説明は省略する。
【００２８】
図３は、実施形態２において、電子機器１００に接続されている電池１０２の充電ができないことをユーザに通知するまでの処理手順の一例を示すフローチャートである。なお、Ｓ３００〜Ｓ３０３の処理は、それぞれ図２のＳ２００〜Ｓ２０３の処理と同様であるため、それらの説明は省略する。
【００２９】
Ｓ３０４においては、外部装置検出部１０９は、ＵＳＢコネクタ１０７を介して外部装置が存在するか否かを検出する。そして、外部装置が検出されなかった場合（Ｓ３０４／Ｎｏ）、システム制御部１０１は、電子機器１００をシャットダウンするための処理を行い、電源制御部１０３は、電池１０２から電子機器１００への電力供給を停止するための制御を行う。なお、外部装置が検出されなかった場合に、図２のＳ２０４〜Ｓ２０７までの処理を行うようにしてもよい。
【００３０】
一方、外部装置が検出された場合（Ｓ３０４／Ｙｅｓ）は、Ｓ３０５において、外部装置検出部１０９は、外部装置がＵＳＢ接続による充電が可能な電力供給装置１０６であるか否かを判定する。そして、外部装置がＵＳＢ接続による充電が可能な電力供給装置１０６ではないと場合（Ｓ３０５／Ｎｏ）は、Ｓ３０６において、システム制御部１０１は、認証履歴情報記憶部１１１に格納された認証結果が正規の電池か非正規の電池かを判定する。なお、Ｓ３０６に進んだ段階で、表示判定部１１２は、電池１０２の充電ができないことをユーザに通知すべきであると判定する。
【００３１】
認証結果が非正規の電池である場合（Ｓ３０６／Ｙｅｓ）は、Ｓ３０７に進む。そして、Ｓ３０７において、システム制御部１０１は、ＵＳＢコネクタ１０７を介して接続されている外部装置が電力供給装置１０６ではなく、電子機器１００に接続されている電池１０２が非正規の電池であるため、電池１０２の充電ができないことを示す通知情報を表示部１１３に表示する。その後、システム制御部１０１は、電子機器１００をシャットダウンするための処理を行い、電源制御部１０３は、電池１０２から電子機器１００への電力供給を停止するための制御を行う。
【００３２】
一方、認証結果が正規の電池である場合（Ｓ３０６／Ｎｏ）は、Ｓ３０８に進む。そして、Ｓ３０８において、システム制御部１０１は、ＵＳＢコネクタ１０７を介して現在接続されている外部装置が電力供給装置１０６ではないため、電池１０２の充電ができないことを示す通知情報を表示部１１３に表示する。その後、システム制御部１０１は、電子機器１００をシャットダウンするための処理を行い、電源制御部１０３は、電池１０２から電子機器１００への電力供給を停止するための制御を行う。
【００３３】
一方、外部装置がＵＳＢ接続による充電が可能な電力供給装置１０６である場合（Ｓ３０５／Ｙｅｓ）、Ｓ３０９において、システム制御部１０１は、認証履歴情報記憶部１１１に格納された認証結果が正規の電池か非正規の電池かを判定する。そして、認証結果が非正規の電池である場合（Ｓ３０９／Ｙｅｓ）、表示判定部１１２は、電池１０２の充電ができないことをユーザに通知すべきであると判定し、システム制御部１０１は、電子機器１００に接続されている電池１０２が非正規の電池のために電池１０２の充電ができないことを示す通知情報を表示部１１３に表示する。その後、システム制御部１０１は、電子機器１００をシャットダウンするための処理を行い、電源制御部１０３は、電池１０２から電子機器１００への電力供給を停止するための制御を行う。
【００３４】
一方、認証結果が正規の電池である場合（Ｓ３０９／Ｎｏ）、システム制御部１０１は、電子機器１００をシャットダウンするための処理を行い、電源制御部１０３は、電池１０２から電子機器１００への電力供給を停止するための制御を行う。
【００３５】
図４は、電池１０２の充電ができないことをユーザに通知するための通知情報の一例を説明するための図である。
【００３６】
Ｓ３０７で表示部１１３に表示される通知情報は、例えば、「接続されている電池は正規の電池ではないためＵＳＢ充電はできません。ＵＳＢコネクタに接続されている機器はＵＳＢ充電に対応していません。」を示す。
Ｓ３０８で表示部１１３に表示される通知情報は、「ＵＳＢコネクタに接続されている機器はＵＳＢ充電に対応していません。」を示す。
Ｓ３１０で表示部１１３に表示される通知情報は、「接続されている電池は正規の電池ではないためＵＳＢ充電はできません。」を示す。
【００３７】
以上のように、実施形態２によれば、外部装置と接続されている場合には、充電を行う可能性があることから、外部装置が電力供給装置１０６であって、電池１０２が正規の電池である場合を除き、電池１０２の充電ができないことを示す情報を表示部１１３に表示するようにした。これにより、ユーザが電池１０２の充電が可能であると勘違いしてしまう可能性を減らすことができる。
【００３８】
［実施形態３］
実施形態３においては、電子機器１００に接続されている電池１０２の充電ができない旨を表示するか否かを、前回の通知からの経過時間によって判定し、ユーザに通知する流れについて説明する。なお、実施形態３における電子機器１００が有する複数の構成要素は、実施形態１における電子機器１００が有する複数の構成要素と同様であるため、それらの説明は省略する。
【００３９】
図５は、実施形態３において、電子機器１００に接続されている電池１０２の充電ができないことをユーザに通知するまでの処理手順の一例を示すフローチャートである。なお、Ｓ５００〜Ｓ５０４の処理は、それぞれ図２のＳ２００〜Ｓ２０４の処理と同様であるため、それらの説明は省略する。
【００４０】
Ｓ５０５において、システム制御部１０１は、前回の通知情報の表示日時を示す表示時間情報を表示時間記憶部１１４から取得する。そして、Ｓ５０６において、システム制御部１０１は、Ｓ５０５で取得した時間から所定時間が経過しているか否かを判定する。そして、Ｓ５０５で取得した時間から所定時間が経過している場合（Ｓ５０６／Ｙｅｓ）は、Ｓ５０７に進む。
Ｓ５０７において、表示判定部１１２は、電池１０２の充電ができないことをユーザに通知すべきであると判定し、システム制御部１０１は、電子機器１００に接続されている電池１０２の充電ができないことを示す通知情報を表示部１１３に表示する。次に、Ｓ５０８において、システム制御部１０１は、現在の日時を示す表示時間情報を表示時間記憶部１１４に格納する。その後、システム制御部１０１は、電子機器１００をシャットダウンするための処理を行い、電源制御部１０３は、電池１０２から電子機器１００への電力供給を停止するための制御を行う。
【００４１】
一方、Ｓ５０５で取得した表示時間情報が示す表示日時から所定時間が経過していない場合（Ｓ５０６／Ｎｏ）、システム制御部１０１は、電子機器１００をシャットダウンするための処理を行い、電源制御部１０３は、電池１０２から電子機器１００への電力供給を停止するための制御を行う。
【００４２】
以上のように、実施形態３によれば、前回の表示から所定時間が経過していない場合は、電池１０２の充電ができないことを示す情報を表示すると煩わしいので、所定時間が経過した場合に、電池１０２の充電ができないことを示す情報を表示するようにした。これにより、ユーザは煩わしさを感じずに、ユーザが電池１０２の充電が可能であると勘違いしてしまう可能性を減らすことができる。
【００４３】
［実施形態４］
実施形態１〜３は、上記の構成に限るものではなく、種々の変形及び変更が可能である。例えば、実施形態１〜３では、電子機器１００に接続されている電池１０２の認証処理を、システム起動後に行っているが、シャットダウンの要求がされた後に行ってもよい。さらに、前回起動時から電池１０２の挿抜がない場合には、認証処理を行わず認証履歴情報記憶部１１１に格納された認証結果を用いて電池１０２が正規の電池か否かを判定してもよい。
【００４４】
実施形態１〜３では、電子機器１００に接続されている電池１０２の充電ができない旨を表示するか否かの判定をシャットダウンの要求がされた後に行っているが、この判定のタイミングはシャットダウンの要求の前であってもよい。さらに、実施形態１〜３では、ユーザによる電源ボタン１０５の押下をシャットダウンの要求としているが、それ以外のシャットダウンの要求も含まれる。例えば、電池１０２の残量がなくなった場合またはユーザの指示が長時間入力されなかった場合に、システム制御部１０１から強制的にシャットダウンを行うような場合も、シャットダウンの要求とすることができる。
【００４５】
［実施形態５］
実施形態１〜４で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態５では、パーソナルコンピュータ、マイクロコンピュータ、ＣＰＵなどを「コンピュータＸ」と呼ぶ。さらに、実施形態５では、コンピュータＸを制御するためのプログラムであって、実施形態１〜４で説明した様々な機能、処理及び方法を実現するためのプログラムを「プログラムＹ」と呼ぶ。
【００４６】
実施形態１〜４で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態５におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態５におけるコンピュータ読み取り可能な記憶媒体は、ｎｏｎ−ｔｒａｎｓｉｔｏｒｙな記憶媒体である。
【符号の説明】
【００４７】
１０１  システム制御部
１０２  電池
１０８  充電制御部
１１０  認証部
１１２  表示判定部
１１３  表示部
【図１】
0006632306.tif 000002
【図２】
0006632306.tif 000003
【図３】
0006632306.tif 000004
【図４】
0006632306.tif 000005
【図５】
0006632306.tif 000006